(57)【要約】      （修正有）【課題】従来にない構造にして履き心地が良く、見た目に斬新な靴下を提供する。【解決手段】編み布地である長楕円形の足底布１１と半円形の爪先布２１、及び、僅かに湾曲したＶ字形にして二股先端を相互に連接して楕円開口部が形成されると共にＶ字形基部の端部に直線状の前端部を有する編み布地の足甲布３１と、ゴム布を環状としたバンド部３７とで構成され、足底布１１の長軸方向端部となる一方の先端の周縁と爪先布２１の円弧状とされる先端縁部とが縫合され、爪先布２１の直線状に近い後縁部と足甲布３１の前端部とが縫合され、足甲布３１の外縁側部と足底布１１の外縁とが縫合され、足甲布３１の楕円開口部に環状とされたバンド部３７が縫合された靴下１０とする。【選択図】図２
0003151046.tif 000002
【実用新案登録請求の範囲】
【請求項１】
編み布地である長楕円形の足底布と編み布地である半円形の爪先布、及び、僅かに湾曲したＶ字形にして二股先端を相互に連接して楕円開口部が形成されると共にＶ字形基部の端部に直線状の前端部を有する編み布地の足甲布と、ゴム布を環状としたバンド部とで構成され、足底布の長軸方向端部となる一方の先端の周縁と爪先布の円弧状とされる先端縁部とが縫合され、爪先布の直線状に近い後縁部と足甲布の前端部とが縫合され、足甲布の外縁側部と足底布の外縁とが縫合され、足甲布の楕円開口部に環状とされたバンド部が縫合されたことを特徴とする靴下。
【請求項２】
足底布は、長楕円形の長軸方向長さの３分の１乃至４分の１で切断した前底布と踵布とに分断された形状であって、踵布を前底布や足甲布よりも厚手の布地とし、前底布と踵布とを縫合して長楕円形状の足底布とすることを特徴とする請求項１に記載した靴下。
【請求項３】
足底布は長楕円形とすると共に足底布の長軸方向長さの３分の１乃至４分の１で切断した形状の踵布を足底布の長軸方向一端に踵布の円弧状周縁を重ねて踵布の周囲を足底布に縫合したことを特徴とする請求項１に記載した靴下。
【請求項４】
爪先布は、足甲布や足底布又は前底布よりも厚手の布地としたことを特徴とする請求項１乃至請求項３の何れかに記載した靴下。
【請求項５】
バンド部は、着色された糸により文字又は模様を織り込んだゴム布としたことを特徴とする請求項１乃至請求項４の何れかに記載した靴下。
【考案の詳細な説明】
【技術分野】
【０００１】
本考案は、靴下に関し、詳しくは短靴下に関するものです。
【背景技術】
【０００２】
従来、靴下は先端から筒状に編み上げ、所定の伸縮性を備えるように編みつつ、爪先から足部、踵部、足部首、膝下部を順次形成し、上端の着脱口近くは緊締力を強くして靴下がずり落ちないように形成されている。
【０００３】
そして、靴下がずり落ちることを確実に防止するために着脱口の口ゴム部の糸素材や編み方に工夫を施すもの（例えば特許文献１）や、足首より上方と下方とで編み方及び材質を変化させて歩行運動を補助することのできる靴下も提案されている（例えば特許文献２）。
【先行技術文献】
【特許文献】
【０００４】
【特許文献１】特開２００４−０６８２０６号
【特許文献２】特開２００２−２６６１０４号
【考案の開示】
【考案が解決しようとする課題】
【０００５】
従来の靴下は、着脱口のずり落ち防止や足への締め付け、即ちフィット感を良好とする編み方などが研究提案されているも、一般の短靴下での装飾は踝にワンポイントの刺繍が施される程度であった。
【０００６】
本考案は、従来にない構造にして履き心地が良く、見た目に斬新な短靴下を提供するものです。
【課題を解決するための手段】
【０００７】
本考案は、編み布地である長楕円形の足底布11と編み布地である半円形の爪先布21、及び、僅かに湾曲したＶ字形にして二股先端35を相互に連接して楕円開口部が形成されると共にＶ字形基部の端部に直線状の前端部33を有する編み布地の足甲布31と、ゴム布を環状としたバンド部37とで構成され、足底布11の長軸方向端部となる一方の先端の周縁と爪先布21の円弧状とされる先端縁部23とが縫合され、爪先布21の直線状に近い後縁部25と足甲布31の前端部33とが縫合され、足甲布31の外縁側部と足底布11の外縁とが縫合され、足甲布31の楕円開口部に環状とされたバンド部37が縫合されたことを特徴とする。
【０００８】
又、足底布11は、長軸方向長さの３分の１乃至４分の１で切断した前底布13と踵布15とに分断して踵布15を前底布13や足甲布31よりも厚手の布地として前底布13と踵布15とを縫合した足底布11とするか、足底布11は長楕円形とすると共に足底布11の長軸方向長さの３分の１乃至４分の１で切断した形状の踵布15を足底布11の長軸方向一端に踵布15の円弧状周縁を重ねて踵布15の周囲を足底布11に縫合することが好ましい。
【０００９】
そして、爪先布21も足甲布31や足底布11又は前底布13よりも厚手の布地とすることが好ましい。
更に、バンド部37は、着色された糸により文字又は模様を織り込んだゴム布とすることが好ましい。
【考案の効果】
【００１０】
本考案にかかる靴下10は、伸縮性を有する布地による足底布、爪先布、足甲布31を縫合したものであるため、布地の切断及び縫合により容易に製造することができ、開口部にゴム布を用いているため、踝の下方部分に確実に着装することができ、履き心地の良い靴下とすることができる。
【００１１】
また、足底布を前底布13と踵布に分けて踵布を厚手とするか、又は足底布に踵布を重ねることにより、傷み易い靴下の踵部分を強化して長期使用に耐える靴下とすることができる。
【００１２】
そして、爪先布を厚手の布地とすることにより、傷み易い靴下の爪先部分を強化して長期使用に耐える靴下とすることができる。
【００１３】
さらに、文字又は模様を織り込んだゴム布によるバンド部とすれば、靴下の種類わけが容易となり、美麗にして他の靴下と見分けやすい靴下とすることができる。
【図面の簡単な説明】
【００１４】
【図１】本考案に係る靴下の底面斜視図。
【図２】本考案に係る靴下の上面斜視図。
【図３】本考案に係る靴下の各部材の一例を示す展開図。
【考案を実施するための形態】
【００１５】
本考案に係る靴下の実施の形態は、編み布地であって、長楕円形の足底布11と半円形の爪先布21、及び、僅かに湾曲したＶ字形にして二股の先端35を相互に連接して楕円開口部が形成されると共にＶ字形基部の端部に直線状に近い前端部33を有する足甲布31と、ゴム布を環状形状としたバンド部37とで構成され、足底布11の長軸方向端部となる一方の先端周縁と爪先布21の円弧状の先端縁部23とが縫合され、爪先布21の直線状に近い後縁部25と足甲布31の前端部33とが縫合され、足甲布31の外縁側部と足底布11の外縁とが縫合され、足甲布31の楕円開口部に環状とされたバンド部37が縫合されるものです。
【００１６】
そして、足底布11は、長軸方向長さの３分の１乃至４分の１で切断した前底布13と踵布15とに分断して踵布15を前底布13や足甲布31よりも厚手の布地として前底布13と踵布15とを縫合した足底布11とし、爪先布21も足甲布31や足底布11又は前底布13よりも厚手の布地とするものです。
【００１７】
更に、バンド部37は、着色された糸により、文字又は模様を織り込んだゴム布とするものです。
【実施例】
【００１８】
本考案に係る靴下10の実施例は、図１及び図２に示すように、足型に近い長楕円形の足底布11と、足指を覆う程度の半円形とされる爪先布21と、足の甲を覆い且つ踵から足首近くまでを覆うように僅かに外方に湾曲したＶ字形にしてＶ字状二股の先端35を相互に連接して足首を通す楕円開口部が形成された足甲布31とを肌着に用いられる布地である編み布地により形成し、この足底布11と爪先布21と足甲布31を相互に縫合し、帯状のゴム布の両端部を縫合して環状形状としたバンド部37を楕円開口部に縫合するものです。
【００１９】
この足底布11は、図３に示すように、幅を７ｃｍ乃至９ｃｍ程度とし、長さを２２ｃｍ乃至２７ｃｍ程度する長楕円形とし、長軸方向において全長の３分の１乃至４分の１で切断して全長の３分の１乃至４分の１の踵部分に当てる踵布15と全長の３分の２乃至４分の３とされる前底布13とし、踵布15を前底布13よりも厚手の布地により形成して踵布15と前底布13とを縫合して全体として長楕円形状の足底布11とするものです。
【００２０】
また、爪先布21は、略半円形とされ円弧状の先端縁部23と略直線に近い直線状の後縁部25を有し、後縁部25の長さを７ｃｍ乃至９ｃｍ程度し、円弧状とされた先端縁部23は足底布11の長軸端部の外形と近似した形状としてその周縁を足底布11の長軸端部近傍の周縁に縫合して袋状とするものです。
【００２１】
そして、足甲布31は中心軸方向の長さを２２ｃｍ乃至２８ｃｍ程度とする外方に僅かに湾曲したＶ字形状とし、内側の形状をＵ字に近いＶ字形状としてその深さを１０ｃｍ乃至１２ｃｍ程度とし、Ｖ字形の基部には７ｃｍ乃至９ｃｍ程度の直線に近い前端部33を有し、二股となるＶ字形は、各々４ｃｍ乃至６ｃｍ程度の幅として二股の先端35を相互に縫合し、内側に長円形の開口部を形成するものです。
【００２２】
更に、この足甲布31は、前端部33を爪先布21の後縁部25と縫合し、外周縁を足底布11の周縁と縫合することにより足底布11の長軸方向における一方の端部近傍の上方に足甲布31の長円形開口部を位置させた短靴下形状とするものです。
【００２３】
そして、バンド部37は、トランクスなどのアウトゴムと呼ばれるゴム布を用い、幅１ｃｍ乃至５ｃｍ程度にして長さが２０ｍｃ余り乃至２５ｃｍ程度であって、両端を僅かに傾斜させたハの字形として長軸方向の一辺を他辺よりも僅かに長くするように切断したゴム布の両端を縫合して環状とし、一辺の周長が他辺の周長よりも僅かに長い環状とされるものであり、このバンド部37の周長の長い一辺を足甲布31の楕円開口部の周縁に縫合するものです。
【００２４】
従って、一般にはニット地と呼ばれて肌着などに使用されている編み布地を用いて足底布11、爪先布21、足甲布31により靴下10の形状として足首下の位置をバンド部37により保持する靴下10とすることができ、僅かに伸縮性を有するニットと呼ばれる編み布地により足の甲を覆い、ゴム布によるバンド部37により足首の下を締めるため、足全体に適度な締め付けを行うことのできる履き心地の良い斬新な靴下10とすることができる。
【００２５】
更に、バンド部37とするゴム布は、ジャガード編みのゴム布として文字や模様を着色した糸により編み込めば、見た目に美麗であり、また、靴下10の差別化、種別化をすることが容易となる。
【００２６】
また、足底布11は、長楕円形の一部を切り欠いた前底布13と長楕円形の一部の形状とした踵布15とを縫合する場合に限ることなく、長楕円形の足底布11の長軸方向一端に長楕円形の一部の形状とした踵布15を重ねて踵布15の周囲を足底布11に縫合して足底布11の踵部分を補強するようにすることもある。
【産業上の利用可能性】
【００２７】
本考案は、斬新で履き心地の良い製造容易な靴下10を提供することができる。
【符号の説明】
【００２８】
１０  靴下
１１  足底布
１３  前底布                      １５  踵布
２１  爪先布
２３  先端縁部                    ２５  後縁部
３１  足甲布
３３  前端部                      ３５  先端
３７  バンド部
【図１】
0003151046.tif 000003
【図２】
0003151046.tif 000004
【図３】
0003151046.tif 000005